(57)【要約】      （修正有）【課題】機械的な昇温装置を使わず、温泉水の排熱の再利用と解体車両のラジエターの再利用と配管の組み合わせにより設備や維持費の軽減、二酸化炭素ＣＯ２の削減や環境改善を計り又、屋根や道路、階段等の融雪としても利用できる乾燥装置及び暖冷房装置を提供する。【解決手段】温泉水及びその廃熱の再利用と解体車両のラジエター５を再利用し配管を組み合わせ、温泉水を通し室内に設置したラジエター内を通過、放熱させるとともに背面のファンを回転させ放熱の効果を上げ、室内全体に温風を均等に行き渡らせ、室内の温度、風量を自動的に調整するためにサーモスタット２とファンを連動し又、使用する電気については、ＡＣ１００ＶをＤＣ２４Ｖ又はＤＣ１２Ｖにインバータ４にて変換し消費電力の省ヱネルギーを実施し、二酸化炭素ＣＯ２の排出を軽減し環境に優しく又、室外に出た温泉水は屋根や道路、階段等の融雪にも利用出来ることを特徴とする。【選択図】図１
0003171711.tif 000002
【実用新案登録請求の範囲】
【請求項１】
本考案は、温泉の温水熱と解体車輌のラジエター及びファンを再利用し、さらにインバータによりＡＣ１００ＶをＤＣ２４ＶまたはＤＣ１２Ｖに変換、配管を組み合わせ果物類、野菜類、山菜類、花類、キノコ類、穀物類及び魚肉類等をそれぞれの持つ旨み、甘み、かおりさらにソフト感を残し無添加、低カロリーで自然な乾燥製品をつくることを特徴とするエコで省ヱネルギーな乾燥装置。
【請求項２】
本考案は、請求項１の温泉の温水熱と解体車輌のラジエター及びファンを再利用し、さらにインバータによりＡＣ１００ＶをＤＣ２４ＶまたはＤＣ１２Ｖに変換、配管を組み合わせ植物栽培用の建物、ビニ−ルハウス及び一般建築物の暖冷房、衣類、布団乾燥室、スキ−、スケ−ト用品の乾燥室さらに道路、屋根の融雪を特徴とするエコで省ヱネルギーな冷暖房装置および乾燥装置。
【考案の詳細な説明】
【考案の詳細な説明】
【産業上の利用分野】
【０００１】本考案は、本来利用されず排水されている温泉の温水熱の再利用と解体された車両のラジエター及びファンの再利用とさらにインバータによりＡＣ１００ＶをＤＣ２４ＶまたはＤＣ１２Ｖに変換、配管を組み合わせることにより、エコと省ヱネルギーな請求項１及び請求項２に記載の乾燥装置ならびに暖冷房装置を提供するものである。
【背景技術】
【０００２】従来の技術は、電気やボイラ−、ガス、蒸気及びヒートポンプ方式等による乾燥装置及び暖冷房装置が一般的であり、温暖化の要因である二酸化炭素ＣＯ２の発生や又、イニシャルコストやランニングコストの面において、コストを料金等に転稼せざるをえないところがある。
【考案が解決しようとする課題】
【０００３】前述のように従来の乾燥装置や暖冷房装置はイニシャルコストやランニングコストの費用の問題や、二酸化炭素ＣＯ２の削減が課題となる。本考案の解決しようとする課題は、温泉水の排熱の再利用と解体車両のラジエターの再利用と配管の組み合わせによりイニシャルコストやランニングコストの軽減や二酸化炭素ＣＯ２の削減や環境の改善を計り又、屋根や道路、階段等の融雪としても提供できるものである。
【課題を解決する為の手段】
【０００４】前記目的を達成するための本考案は、温泉水及びその廃熱の再利用と解体車両のラジエターを再利用しさらに配管を組み合わせ、配管に温泉水を通し室内に設置したラジエター内を通過させ放熱させるとともに背面のファンを回転させることにより放熱の効果を上げ室内全体に温風を均等に行き渡らせるものであり、又室内の温度、風量を調整するためにサーモスタットとファンを連動させ併用し、自動的に温度、風量の調節を行うものである。さらに、使用する電気については、ＡＣ１００ＶをＤＣ２４ＶまたはＤＣ１２Ｖにインバータにより変換し消費電力の省ヱネルギーを実施するものである。又、配管内を通過して室外に出た温泉水は屋根や道路、階段等の融雪としても利用出来るものである。
【考案を実施するための形態】
【０００５】本考案においては、温泉水及びその廃熱の再利用と解体車両のラジエター及びファンを再利用しさらに配管を組み合わせ、さらにサーモスタットとラジエターのファンを連動させ、それぞれ使用目的の室内の温度及び風量を調節するとともに低温時の対策として床下の配管を併用する。又ラジエターのファンの作動電気にはインバータによりＤＣ２４ＶまたはＤＣ１２Ｖに変換し使用しているために従来の電気、ボイラ−やガスを使用した方法より省ヱネと二酸化炭素ＣＯ２を軽減した環境にやさしい方法を使用している。又、イニシャルコストにおいても温泉水及びその廃熱の再利用と解体車両のラジエターを再利用しているため大掛かりな工事は必要でない。
【実施例】
【０００６】実施例について、以下図面を参照して説明するものであります。【０００７】本考案の実施例を、図１（Ａ）に示す。
図１、（Ａ）は本考案の実施例で乾燥および暖冷房装置の系統ならびに配置図である。
（１）はＡＣ１００Ｖの１次側電気配線、（２）はサーモスタット、（３）はＡＣ１００Ｖの２次側電気配線、（４）はインバータ本体、（５）はラジエター本体、（６）ファン及びモーター、（７）はＤＣ２４Ｖ又はＤＣ１２Ｖの電気配線、（８）温泉水または冷水供給配管、（９）温泉水または冷水入り口、（１０）は温泉水または冷水出口からなる乾燥装置および暖冷房装置である。
【考案の効果】
【０００８】本考案は、本来利用されず排水されている温泉の温水熱と解体車両のラジエター及びファンを再利用し、さらにインバータによりＡＣ１００ＶをＤＣ２４ＶまたはＤＣ１２Ｖに変換、配管を組み合わせることによりイニシャルコスト、ランニングコストの軽減を計り又、製品のリサイクルと二酸化炭素ＣＯ２の軽減を提供することを特徴とする乾燥装置および暖冷房装置である。
【図面の簡単な説明】
【０００９】
【図１】本考案の実施例を示す図
【符号の説明】１  一次側ＡＣ１００Ｖの電気配線
２  サーモスタット
３  二次側ＡＣ１００Ｖ電気配線
４  インバータ本体
５  ラジエター本体
６  ファンおよびモーター
７  ＤＣ２４Ｖ又はＤＣ１２Ｖ電気配線
８  温泉水又は冷水の配管
９  温泉水又は冷水の入り口
１０  温泉水又は冷水の出口
【図１】
0003171711.tif 000003
【手続補正書】
【提出日】平成23年6月22日(2011.6.22)
【手続補正１】
【補正対象書類名】実用新案登録請求の範囲
【補正対象項目名】全文
【補正方法】変更
【補正の内容】
【実用新案登録請求の範囲】
【請求項１】
温泉の温泉水及びその廃熱を再利用し、室内に配管と解体車輌のラジエターを接続し設置、温泉水を通過させ放熱させるとともに、室内の温度、風量を自動的に調整するためにサーモスタットとインバ−タを設置、使用する交流電気ＡＣ１００Ｖについては、インバ−タを通過させることにより直流ＤＣ２４Ｖ又はＤＣ１２Ｖに変換しラジエタ−のファンモ−タ−に接続、ファンを回転させ送風し、放熱の効果を上げ室内全体の温度を均等に行き渡らせるとともに消費電力の省ヱネルギー化を図ることを特徴とした乾燥及び暖冷房装置。
【手続補正書】
【提出日】平成23年8月25日(2011.8.25)
【手続補正１】
【補正対象書類名】実用新案登録請求の範囲
【補正対象項目名】全文
【補正方法】変更
【補正の内容】
【実用新案登録請求の範囲】
【請求項１】
温泉の温泉水及びその廃熱を再利用し、室内に配管と解体車輌のラジエターを接続し設置、温泉水を通過させ放熱させるとともに、サーモスタットとラジエタ−のファンにより室内の温度、風量を自動的に調整する。又、使用する交流電気ＡＣ１００Ｖについては、インバ−タを通過させることにより直流ＤＣ２４Ｖ又はＤＣ１２Ｖに変換しラジエタ−のファンモ−タ−に接続、ファンを回転させ送風し、放熱の効果を上げ室内全体の温度を均等に行き渡らせるとともに消費電力の省ヱネルギー化を図ることを特徴とした乾燥及び暖房装置。